(57)【要約】      （修正有）【課題】文字、図形、肖像、風景等の表示内容を正確に表現することができる表示体を提供する。【解決手段】表示体１は、同一断面形状を有し、隣接して平行に設けられる複数の筒状部５と、前記各筒状部に設けられる底部と、を備え、前記各底部までの深さによって前記各筒状部の明るさを設定し、前記各筒状部の明暗により表示内容を表現することを特徴とする。前記各筒状部は、複数の板状部材が互いに直交する状態で配設されて碁盤目状に形成される正方形の同一断面形状を有することが好ましい。前記各筒状部は、光不透過性の不透明な材料により形成されることが好ましい。前記各筒状部には、単一色の透明な液体が充填されることが好ましい。【選択図】図１
0003209917.tif 000002
【実用新案登録請求の範囲】
【請求項１】
同一断面形状を有し、隣接して平行に設けられる複数の筒状部と、
前記各筒状部に設けられる底部と、を備え、
前記各底部までの深さによって前記各筒状部の明るさを設定し、前記各筒状部の明暗により表示内容を表現することを特徴とする表示体。
【請求項２】
前記各筒状部は、複数の板状部材が互いに直交する状態で配設されて碁盤目状に形成される正方形の同一断面形状を有する請求項１記載の表示体。
【請求項３】
前記各筒状部は、光不透過性の不透明な材料により形成される請求項１又は２記載の表示体。
【請求項４】
前記各筒状部には、単一色の透明な液体が充填される請求項１乃至３のいずれかに記載の表示体。
【請求項５】
請求項１乃至４のいずれかに記載の表示体を壁面に備える壁面構造。
【考案の詳細な説明】
【技術分野】
【０００１】
本考案は、文字、図形、肖像、風景等の情報伝達手段や装飾手段、芸術作品等として使用される表示体、及び該表示体を壁面に備える建造物等の壁面構造に関する。
【背景技術】
【０００２】
従来、凹凸によって文字や図形等の表示内容を表現する表示体が知られている（例えば、特許文献１を参照。）。
【０００３】
特許文献１に記載された表示体は、原画像の各画素の明度等の階調データに応じた出力で紙表面にレーザービームを照射し、前記階調データに応じて深さまたは深さと大きさの異なる窪みを形成し、前記窪みによって文字、模様、写真、絵画等を表現するものである。
【０００４】
上記特許文献１に記載された表示体は、窪みの深さによって明るさに差をつけるものであり、観察者が表示内容を立体的に観察することができる。
【０００５】
しかしながら、上記特許文献１に記載された表示体は、窪みの大きさ（面積）や前記窪みに隣接する他の窪みの深さや大きさによって、前記窪みへの入射光量が異なるため、窪みの深さが同じ場合でも明るさが異なることがあり、表示内容を正確に表現することが困難な問題がある。
【先行技術文献】
【特許文献】
【０００６】
【特許文献１】特開２０００−６５９７号公報
【考案の概要】
【考案が解決しようとする課題】
【０００７】
そこで、本考案は、文字、図形、肖像、風景等の表示内容を正確に表現することができる表示体、及び該表示体を壁面に備える壁面構造を提供することを目的とする。
【課題を解決するための手段】
【０００８】
上記目的を達成するため、本考案の表示体は、
同一断面形状を有し、隣接して平行に設けられる複数の筒状部と、
前記各筒状部に設けられる底部と、を備え、
前記各底部までの深さによって前記各筒状部の明るさを設定し、前記各筒状部の明暗により表示内容を立体的に表現可能とすることを特徴とする。
【０００９】
本考案の表示体は、
前記各筒状部が、複数の板状部材が互いに直交する状態で配設されて碁盤目状に形成される正方形の同一断面形状を有することが好ましい。
【００１０】
本考案の表示体は、
前記各筒状部が、光不透過性の不透明な材料により形成されることが好ましい。
【００１１】
本考案の表示体は、
前記各筒状部が、先端を揃えて設けられることが好ましい。
【００１２】
本考案の表示体は、
前記底部が、前記各筒状部の深さを調整可能に配設される底部材であることが好ましい。
【００１３】
本考案の表示体は、
前記各筒状部に、単一色の透明な液体が充填されることが好ましい。
【００１４】
また、上記目的を達成するため、本考案の壁面構造は、
上記いずれかに記載の表示体を壁面に備えるものである。
【考案の効果】
【００１５】
本考案の表示体は、同一断面形状を有し、隣接した状態で平行に設けられる複数の筒状部と、前記各筒状部に設けられる底部と、を備えるので、前記各筒状部先端からの該各筒状部内への入射光量が等しく、前記各底部までの深さによって前記各筒状部の明るさを設定し、前記各筒状部の明暗により表示内容を表現することができる。
したがって、本考案の表示体によれば、文字、図形、肖像、風景等の表示内容を正確に表現することができる。
【００１６】
本考案の表示体は、前記各筒状部が、光不透過性の不透明な材料により形成されることとすれば、隣接する筒状部からの透過光の入射を防止できるため、前記表示内容をより正確に表現することができる。
【００１７】
本考案の表示体は、前記各筒状部が、先端を揃えて設けられることとすれば、前記各筒状部先端の不揃いの影響による該各筒状部内への入射光量のバラツキを防止できるため、前記表示内容をより正確に表現することができる。
【００１８】
本考案の表示体は、前記底部が、前記各筒状部の深さを調整可能に配設される底部材であることとすれば、前記表示内容を変更することができる。
【００１９】
本考案の表示体は、前記各筒状部に、単一色の透明な液体が充填されることとすれば、装飾効果を高めることができる。
【００２０】
また、本考案の壁面構造は、上記いずれかに記載の表示体を壁面に備えるので、観察者は正確に表現された表示内容を遠方から観察することができる。
【図面の簡単な説明】
【００２１】
【図１】本考案の実施の形態における表示体の正面図。
【図２】図１のＡ−Ａ断面図。
【図３】図２の変形例の説明図。
【図４】本考案の他の実施の形態であり、表示体を壁面に備える壁面構造の正面図。
【考案を実施するための形態】
【００２２】
本考案の実施の形態を図面に基づいて説明する。
図１は本考案の実施の形態における表示体の正面図であって、図形として「正四角錐」、文字として「Ｅ」を表示内容として表示する例を示す。また、図２は図１のＡ−Ａ断面図を示す。
【００２３】
本考案の実施の形態における表示体１は、フレーム２と、該フレーム２内に平行に配設される複数の縦リブ３と、前記フレーム２内に平行に配設される複数の横リブ４を備える。
前記フレーム２は、フレーム枠２１と底壁２２からなり、表面に凹部が形成される。
【００２４】
前記縦リブ３と前記横リブ４は、それぞれ板状部材からなり、前記フレーム２の凹部内であって前記底壁２２に垂直な状態で配設される。前記縦リブ３と前記横リブ４は、互いに直交する状態で配設され、正面からみて正方形の升目を碁盤目状に形成する。前記縦リブ３と前記横リブ４は、前記フレーム２の凹部内であって前記底壁２２上に、正方形の同一断面形状を有し隣接した状態で平行に配置される同じ高さの複数の筒状部５を形成する。
【００２５】
前記各筒状部５の内部には、それぞれ前記各筒状部５の深さを定める底部材６が配設される。
【００２６】
ここで、前記表示体１において、明るく表現したい部分には、前記各筒状部５の深さが浅くなるように前記底部材６を配設し、暗く表現したい部分には、前記各筒状部５の深さが深くなるように前記底部材６を配設する。
前記表示体１は、前記各筒状部５の深さを調整することで前記各筒状部５の明るさを設定し、前記各筒状部５の明暗により文字や図形等の表示内容を立体的に表現可能とするものである。
【００２７】
本考案の実施の形態における表示体１は、前記フレーム２の凹部内に、同一断面形状を有し隣接した状態で平行に配置される複数の筒状部５が形成され、前記各筒状部５の内部に、それぞれ前記各筒状部５の深さを定める底部材６が配設されるので、前記各筒状部５先端からの該各筒状部内への入射光量が等しく、前記各底部材６までの深さによって前記各筒状部の明るさを調整し設定することができる。
したがって、本考案の実施の形態における表示体１によれば、文字、図形、肖像、風景等の表示内容を正確に表現することができる。
【００２８】
また、前記表示体１は、前記各筒状部５が、同じ高さに形成されるので、前記各筒状部５先端高さの不揃いの影響による該各筒状部５内への入射光量のバラツキを防止できるため、前記表示内容をより正確に表現することができる。
【００２９】
ここで、前記フレーム２は、光が透過しない不透明な材料で形成することが好ましく、不透明な樹脂、アルミニウム等の金属、木材等により形成することができる。
【００３０】
また、前記縦リブ３及び前記横リブ４も、同様に、光が透過しない不透明な材料で形成することが好ましく、不透明な樹脂、アルミニウム等の金属、木材等により形成することができる。
【００３１】
前記表示体１において、前記フレーム２及び前記各筒状部５を、光不透過性の不透明な材料から形成することとすれば、隣接する筒状部５からの透過光の入射を防止できるため、前記表示内容をより正確に表現することができる。
【００３２】
また、前記底部材６は、前記各筒状部５の内部に位置調整可能に配設することが好ましい。
前記表示体１において、前記底部材６を、前記各筒状部５内に位置調整可能に配設することとすれば、前記表示内容を変更することができる。
【００３３】
本考案の実施の形態における表示体１は、前記各筒状部５に、単一色の透明な（不透明でない）液体を充填することとすることもできる。
前記表示体１において、前記各筒状部５に、単一色の透明な液体を充填することとすれば、装飾効果を高めることができる。その場合、前記表示体１は、前記液体が漏れないような構成、例えば表面がガラス等で覆われる構成とすることができる。
【００３４】
図３は、図１のＡ−Ａ断面図であって図２の変形例の説明図を示す。
本考案の実施の形態において、前記各筒状部５の内部には、該各筒状部５の底面が傾斜するように、傾斜面を先端に有する傾斜底部材７を配設することができる。
前記表示体１において、前記各筒状部５の内部に前記傾斜底部材７を配設することとすれば、隣接する複数の筒状部５間において連続した明るさの変化を表現することができる。
【００３５】
上記本考案の実施の形態において、前記表示体１は、前記フレーム２の凹部内に配設される縦リブ３と横リブ４の升目により碁盤目状に複数の筒状部５が形成されるものであったが、前記フレーム２の凹部内に独立した複数の筒状部材を配設することで前記筒状部５を形成することもできる。
【００３６】
また、前記表示体１は、前記フレーム２を備えることなく、前記筒状部５を形成することもできる。
【００３７】
さらに、前記表示体１は、型枠内に樹脂等を流し込み、又は金属等を加工することで、前記筒状部５と前記底部材６を一体に成形することもできる。
【００３８】
上記本考案の実施の形態において、前記各筒状部５は、正方形の同一断面形状を有することとしたが、他の断面形状とすることもできる。その場合、前記各筒状部５の断面形状は、正三角形、正多角形、正円等、前記筒状部５の中心軸に対象な形状とすることが好ましい。
【００３９】
図４は、本考案の他の実施の形態であって、表示体をビル等の壁面に備える壁面構造の正面図を示す。
本考案の実施の形態における表示体１は、ビル８等の構造物や岩石等の自然物の壁面８に備えるものとすることができる。
【００４０】
その場合、図１に示すような表示体１を事前に準備し、又はその場で表示体１を組み立てて、前記壁面８に前記表示体１を設置し固定することができる。また、前記壁面８自体に、直接、表示体１を形成することもできる。
【００４１】
なお、上記本考案の実施の形態において、前記表示体１は、図１として文字や図形を表示内容とする場合を例としたが、肖像や風景等を表示内容とすれば、芸術作品としても利用することができる。
【００４２】
本考案は、上記実施の形態に限るものでなく、考案の範囲を逸脱しない限りにおいてその構成を適宜変更できることはいうまでもない。
【産業上の利用可能性】
【００４３】
本考案の表示体は、文字、図形、肖像、風景等の表示内容を正確に表現することができるため、情報伝達手段や装飾手段等の他、芸術作品としても利用することができる。
【符号の説明】
【００４４】
１      表示体
２      フレーム
２１      フレーム枠
２２      底壁
３      縦リブ
４      横リブ
５      筒状部
６      底部材
７      傾斜底部材
８      ビル
９      壁面
【図１】
0003209917.tif 000003
【図２】
0003209917.tif 000004
【図３】
0003209917.tif 000005
【図４】
0003209917.tif 000006